(57)【特許請求の範囲】
【請求項１】
光ディスク回転機構が搭載されたメインシャーシと、
前記メインシャーシに対して一定位置に維持される回転軸と、この回転軸を中心とした円弧上に並ぶ複数の第１係合部と、を有する回転部材と、
前記メインシャーシと前記回転部材との間に配置される作用部を有し、前記メインシャーシに回転自在に連結され、光学ピックアップをスライド移動自在に支持するサブシャーシと、
前記メインシャーシと前記サブシャーシとの間に配置され、前記サブシャーシの作用部を前記回転部材に向かって付勢する弾性部材と、
前記サブシャーシの作用部及び前記回転部材の一方に設けられ、その他方に向かって突出する突起と、
前記サブシャーシの作用部及び前記回転部材の他方に設けられ、前記弾性部材からの付勢力を受けて前記突起と押圧接触すると共に、前記回転部材の回転に伴い前記突起とスライド接触して前記回転部材に対する前記作用部の位置を変化させる螺旋状の傾斜面と、
前記サブシャーシ及び前記弾性部材の一方に設けられ、前記回転部材に向かって付勢され、前記第１係合部と係合して前記回転部材の回転を阻止する第２係合部と、を備え、
前記第２係合部の付勢力に抗して前記回転部材が回転したとき、前記突起が前記傾斜面上を相対的にスライド移動して前記回転部材と前記サブシャーシとの相対位置が変動し、前記回転部材と前記サブシャーシとの前記相対位置は、前記第１係合部と第２係合部との係合力によって保持される
ことを特徴とする光ディスク装置。
【請求項２】
請求項１に記載の光ディスク装置であって、
前記サブシャーシの作用部に形成された孔と、
前記メインシャーシから延びて前記孔を挿通する軸体と、をさらに備え、
前記回転部材は、前記軸体に回転自在に支持されている
ことを特徴とする光ディスク装置。
【請求項３】
請求項１又は請求項２に記載の光ディスク装置であって、
前記回転部材は、その外周面に前記第１係合部が連続して環状に配置された略円盤状のギヤと、前記ギヤから一体的に延びて前記傾斜面を形成するカムとを有する
ことを特徴とする光ディスク装置。
【請求項４】
請求項１から請求項３のいずれかに記載の光ディスク装置であって、
前記弾性部材は、板バネであり、
前記第２係合部は、前記板バネと一体的に形成されている
ことを特徴とする光ディスク装置。
【請求項５】
請求項１から請求項３のいずれかに記載の光ディスク装置であって、
前記第２係合部は、前記サブシャーシと一体的に形成されている
ことを特徴とする光ディスク装置。
【請求項６】
光ディスク回転機構をメインシャーシに搭載し、
前記メインシャーシに対して一定位置に維持される回転軸と、この回転軸を中心とした円弧上に並ぶ複数の第１係合部と、を有する回転部材を設け、
前記メインシャーシと前記回転部材との間に配置される作用部を有し、光学ピックアップをスライド移動自在に支持するサブシャーシを、前記メインシャーシに回転自在に連結し、
前記メインシャーシとサブシャーシとの間に、前記サブシャーシの作用部を前記回転部材に向かって付勢する弾性部材を配置し、
前記サブシャーシの作用部及び前記回転部材の一方に、その他方に向かって突出する突起を設け、
前記弾性部材からの付勢力を受けて前記突起と押圧接触すると共に、前記回転部材の回転に伴い前記突起とスライド接触して前記回転部材に対する前記サブシャーシの作用部の位置を変化させる螺旋状の傾斜面を、前記作用部及び前記回転部材の他方に設け、
前記回転部材に向かって付勢され、前記第１係合部と係合して前記回転部材の回転を阻止する第２係合部を、前記サブシャーシ及び前記弾性部材の一方に設け、
前記突起が前記傾斜面上を相対的にスライド移動するように、前記第２係合部の付勢力に抗して前記回転部材を回転させることにより、前記回転部材と前記サブシャーシとの相対位置を変動させて、前記メインシャーシに対する前記サブシャーシの傾きを変更し、
前記変更された傾きを、前記回転部材に向かって付勢された前記第２係合部と前記第１係合部との係合力によって保持する
ことを特徴とする光ディスク装置の調整方法。
【請求項７】
請求項６に記載の光ディスク装置の調整方法であって、
前記光ディスク装置は、前記サブシャーシの作用部に形成された孔と、前記メインシャーシから延びて前記孔を挿通する軸体と、をさらに備え、
前記回転部材は、前記軸体に回転自在に支持されている
ことを特徴とする光ディスク装置の調整方法。
【請求項８】
請求項６又は請求項７に記載の光ディスク装置の調整方法であって、
前記回転部材は、その外周面に前記第１係合部が連続して環状に配置された略円盤状のギヤと、前記ギヤから一体的に延びて前記傾斜面を形成するカムとを有する
ことを特徴とする光ディスク装置の調整方法。
【請求項９】
請求項６から請求項８のいずれかに記載の光ディスク装置の調整方法であって、
前記弾性部材は、板バネであり、
前記第２係合部は、前記板バネと一体的に形成されている
ことを特徴とする光ディスク装置の調整方法。
【請求項１０】
請求項６から請求項８のいずれかに記載の光ディスク装置の調整方法であって、
前記第２係合部は、前記サブシャーシと一体的に形成されている
ことを特徴とする光ディスク装置の調整方法。
【請求項１１】
請求項１から請求項５のいずれかに記載の光ディスク装置を備えたことを特徴とするエンタテインメント装置。
【発明の詳細な説明】
【０００１】
【発明の属する技術分野】
光ディスク上に光学ピックアップからレーザ光を照射することにより、情報を記録及び／又は再生する光ディスク装置に関する。
【０００２】
【従来の技術】
ＣＤ（Ｃｏｍｐａｃｔ  ｄｉｓｃ）、ＤＶＤ（Ｄｉｇｉｔａｌ  Ｖｅｒｓａｔｉｌｅ  ｄｉｓｃ）、ＣＤ−ＲＯＭ（ＣＤ−Ｒｅａｄ  Ｏｎｌｙ  Ｍｅｍｏｒｙ）、ＤＶＤ−ＲＯＭ（ＤＶＤ−Ｒｅａｄ  Ｏｎｌｙ  Ｍｅｍｏｒｙ）、ＣＤ−Ｒ、ＤＶＤ−Ｒ等の光ディスク情報を記録及び／又は再生する光ディスク装置は、光ディスクを回転自在に支持する光ディスク回転機構と、光ディスクの信号面にレーザ光を照射する光学ピックアップとを備え、このような光ディスク装置には、光ディスクの信号面に対するレーザ光の垂直性が要求される。
【０００３】
【発明が解決しようとする課題】
光ディスク装置の製造時には、各構成部品の成形誤差や部品相互の組み付け誤差等によって、光ディスク回転機構と光学ピックアップとの相対位置にも誤差が生じ、光ディスクに対するレーザ光の垂直性が損なわれる可能性がある。
【０００４】
このような製造時の誤差を吸収してレーザ光の垂直性を高める方法として、光ディスク回転機構をメインシャーシに搭載し、光学ピックアップをサブシャーシに搭載し、メインシャーシとサブシャーシとを回転自在に連結して、メインシャーシに対するサブシャーシの傾きを調整する方法がある。具体的には、メインシャーシとサブシャーシの間にバネを配置し、サブシャーシを挿通するボルトをメインシャーシに形成されたネジ孔に螺合し、ボルトをバネの弾性力に抗して締め込むことにより、メインシャーシに対するサブシャーシの傾きを適正な状態に調整する。調整後は、ボルトの回転を阻止するために、ボルトとネジ孔との間に接着剤を注入する。
【０００５】
しかしながら、上記のような接着剤を用いた方法では、自ずと作業が煩雑化する。また、接着剤の凝固時間を確保するために製造時間の短縮が難しく、接着剤が凝固した後の再調整も難しい。
【０００６】
本発明は、上述の課題に鑑みてなされたものであり、光ディスクに対するレーザ光の垂直性を高めるための調整作業性が良好であり、且つ再調整も容易に行うことが可能な光ディスク装置、この光ディスク装置を備えたエンタテインメント装置、及び光ディスク装置の調整方法の提供を目的とする。
【０００７】
【発明を解決するための手段】
本発明に係る光ディスク装置は、メインシャーシと、複数の第１係合部を有する回転部材と、サブシャーシと、弾性部材と、突起と、螺旋状の傾斜面と、第２係合部とを有する。メインシャーシには、光ディスク回転機構が搭載されている。回転部材の回転軸は、メインシャーシに対して一定位置に維持され、第１係合部は、回転軸の軸心を中心とした円弧上に並んでいる。サブシャーシは、光学ピックアップをスライド移動自在に支持し、メインシャーシに回転自在に連結されている。さらに、サブシャーシは、メインシャーシと前記回転部材との間に配置される作用部を有する。弾性部材は、メインシャーシとサブシャーシとの間に配置され、サブシャーシの作用部を回転部材に向かって付勢する。突起は、サブシャーシの作用部及び回転部材の一方に設けられ、その他方に向かって突出する。傾斜面は、サブシャーシの作用部及び回転部材の他方に設けられ、弾性部材からの付勢力を受けて突起と押圧接触すると共に、回転部材の回転に伴い突起とスライド接触して回転部材に対する作用部の位置を変化させる。第２係合部は、サブシャーシ又は弾性部材の一方に設けられ、回転部材に向かって付勢され、第１係合部と係合して回転部材の回転を阻止する。
【０００８】
光ディスクに対するレーザ光の垂直性を高めるための光ディスク回転機構と光学ピックアップとの相対位置の調整は、第２係合部の付勢力に抗して回転部材を回転することにより行う。回転部材を回転することにより、突起が傾斜面上をスライド移動し、回転部材とサブシャーシの作用部との相対位置が変動する。回転部材はメインシャーシに回転自在に支持され、その回転軸はメインシャーシに対して一定位置に維持されているため、回転部材とサブシャーシとの相対位置が変動すると、メインシャーシに対するサブシャーシの傾きが変更され、結果として光ディスク回転機構と光学ピックアップとの相対位置が調整される。調整後の状態は、回転部材に向かって付勢された第２係合部と第１係合部との係合力によって保持される。
【０００９】
このように、調整後の状態が接着剤を用いることなく保持されるので、調整作業性が良好であり、且つ再調整も容易に行うことができる。
【００１０】
【発明の実施の形態】
本発明は、ＤＶＤ−ＲＯＭやＣＤ−ＲＯＭ等の光ディスクに記録されているゲームプログラムに基づいてビデオゲームを実行するゲーム実行機能、及び上記光ディスクに記録されている映画等の映像情報を再生する映像再生機能を有するエンタテインメント装置に適用することができる。
【００１１】
［第１の実施形態］
［第１の実施形態の構成］
図１にこの発明の第１の実施形態に係るエンタテインメント装置の外観斜視図を示す。エンタテインメント装置は、ビデオゲームの実行や映画の再生等を行う装置本体１と、装置本体１に接続されたコントローラ２０とを備えている。
【００１２】
（装置本体の構成）
装置本体１は、ＵＳＢ対応機器（ＵＳＢ：Ｕｎｉｖｅｒｓａｌ  Ｓｅｒｉａｌ  Ｂｕｓ）が接続される２つのＵＳＢ接続端子２と、テレビゲームのアプリケーシヨンプログラムや映画等のマルチメディアデータが記録されたＣＤ―ＲＯＭやＤＶＤ―ＲＯＭ等の光ディスク１２が装着されるトレイ型の光ディスク装置３と、ゲームをリセットするためのリセットボタン４と、例えば最大４００Ｍｂｐｓのデータ転送速度に対応可能なＩＥＥＥ１３９４接続端子５と、光ディスク装置３のディスクトレイ（図示外）の出し入れを操作するためのトレイ操作ボタン６と、コントローラ接続部７Ａ，７Ｂと、メモリカード装着部８Ａ，８Ｂとを有している。
【００１３】
装置本体１の背面には、電源スイッチ（図示外）や、装置本体１をモニタ装置９やオーデイオ装置（図示外）に接続するためのＡＶ端子（図示外）等が設けられている。
【００１４】
２つのコントローラ接続部７Ａ、７Ｂには、それぞれコントローラ２０のコネクタ１１が接続される。メモリカード装着部８Ａ、８Ｂには、ゲームデータのセーブ（記憶）及び読み出しを行うセーブ用のメモリカード１０や、ＤＶＤの再生を行うドライバプログラムが記憶されたＤＶＤドライバメモリカード（図示外）等が装着される。
【００１５】
（光ディスク装置の構成）
光ディスク装置３は、図２〜図６に示すように、メインシャーシ３０と、サブシャーシ３１と、光ディスク１２を回転駆動する光ディスク回転機構３２と、光ディスク１２から信号を読み取る光学ピックアップ３３と、光学ピックアップ３３を光ディスク１２の半径方向に移動させるスレッド機構３４と、を備えている。なお、特に図示していないが、光ディスク装置３は、光ディスク１２が搭載されるディスクトレイと、ディスクトレイを装置本体１に対して出し入れするローディング機構と、ローディング時に光ディスク回転機構３２及び光学ピックアップ３３をディスクトレイに向かって移動させるための機構と、をさらに備えている。なお、光学ピックアップ３３は、光ディスク１２に対する信号の読み取り及び書き込みが可能なものを用いても良い。
【００１６】
図３及び図６に示すように、メインシャーシ３０は、所定形状に打ち抜かれ曲折形成された枠体状の金属板で構成され、一端部３０ａと他端部３０ｂと両者を連結する２つの連結部３０ｃ，３０ｄとを有している。
【００１７】
光ディスク回転機構３２は、光ディスク１２を回転させるスピンドルモータ３５と、スピンドルモータ３５のスピンドル軸（図示外）に固定されたターンテーブル３６とを有し、メインシャーシ３０の一端部３０ａに搭載されている。
【００１８】
メインシャーシ３０の２つの連結部３０ｃ，３０ｄには、後述するサブシャーシ３１の回転軸３７，３８（図４及び図６参照）を回転自在に支持する軸支持部３９，４０が形成されている。各軸支持部３９，４０には、回転軸３７，３８を受容する溝４１，４２と、後述する脱落阻止部材４３，４４の位置決め用の突起４５又は孔４６と、脱落阻止部材４３，４４を固定するためのボルト４７，４８と螺合するネジ孔４９，５０とが形成されている。
【００１９】
図４に示すように、サブシャーシ３１は、射出成形によって形成された枠体状の硬質樹脂で構成され、一端部３１ａと他端部３１ｂと両者を連結する２つの側壁３１ｃ，３１ｄとを有している。
【００２０】
サブシャーシ３１の２つの側壁３１ｃ，３１ｄの外面からは、回転軸３７，３８がそれぞれ一体的に突出している。図２、図５及び図６に示すように、溝４１，４２に収容された回転軸３７，３８は、軸支持部３９，４０と脱落阻止部材４３，４４との間で回転自在に支持される。図５に示すように、一方の脱落阻止部材４３は、軸支持部３９の位置決め用の突起４５が挿通される孔５１と、ボルト４７が挿通される孔５２とを有し、他方の脱落阻止部材４４は、軸支持部４０の位置決め用の孔４６に挿通される突起５３と、ボルト４８が挿通される孔５４とを有する。回転軸３７，３８は、後述するガイドレール５５，５６と略直交し、且つ溝４１，４２に受容された状態で光ディスク１２の記録面と略平行となるように配置されている。
【００２１】
図２及び図４に示すように、スレッド機構３４は、２本のガイドレール５５，５６と、キャリッジ５７と、スレッドモータ５８と、駆動ロッド５９と、連結ラック６０とを備えている。各ガイドレール５５，５６の両端は、サブシャーシ３１の一端３１ａと他端３１ｂとに支持され、キャリッジ５７は、ガイドレール５５，５６にスライド移動自在に支持されている。光学ピックアップ３３は、キャリッジ５７に取り付けられ、ガイドレール５５，５６は、光学ピックアップ３３の対物レンズ３３ａが光ディスク１２の半径方向に移動するように、キャリッジ５７の移動方向を規制する。駆動ロッド５９は、その外周面に螺旋状の溝を有し、ガイドレール５５，５６と略平行に配置され、スレッドモータ５８に直結されている。連結ラック６０の一端はキャリッジ５７に連結され、他端は駆動ロッド５９の溝に係合している。スレッドモータ５８の回転は、駆動ロッド５９及び連結ラック６０を介してキャリッジ５７に伝達され、これによりキャリッジ５７が移動する。
【００２２】
図５に示すように、サブシャーシ３１の他端部３１ｂは、メインシャーシ３０の他端部３０ｂと対向する作用部としての底壁６１を有する。メインシャーシ３０の他端部３０ｂとサブシャーシ３１の底壁６１との間には、弾性部材としての板バネ６３が配置されている。軸体６２は、略円柱状の金属で、メインシャーシ３０の他端部３０ｂに固定されている。軸体６２の先端はサブシャーシ３１の底壁６１に形成された孔６７を挿通している。
【００２３】
軸体６２の先端面６２ａにはネジ孔６４が形成され、この先端面６２ａとネジ孔６４に螺合するボルト６５とによって、回転部材６６が回転自在に支持されている。すなわち、回転部材６６の回転軸は、メインシャーシ３０に対して一定位置に維持され、回転部材６６は、底壁６１と対向するメインシャーシ３０の他端部３０ｂから所定距離だけ離間した位置に回転自在に支持されている。
【００２４】
図７及び図８に示すように、回転部材６６は、軸体６２の先端面６２ａ上に載置される略円盤状のギヤ６８と、軸体６２の細径先端部分の外周面に沿うようにギヤ６８から一体的に延びるカム６９とを有している。カム６９の先端面は、ギヤ６８からの距離（すなわちメインシャーシ３０の他端部３０ｂからの高さ）が徐々に変化する螺旋状の傾斜面７０を形成している。傾斜面７０は、ギヤ６８に最も近接する一端７０ａとギヤ６８から最も離れた他端７０ｂとが隣接するように、ほぼ３６０°の範囲に形成されている。図２及び図９に示すように、ギヤ６８の外周面には、第１係合部としての係合溝７１が連続して環状に形成されている。すなわち、係合溝７１は、回転部材６６の回転軸を中心とした円弧上に並んでいる。また、サブシャーシ３１の底壁６１は、メインシャーシ３０の他端部３０ｂと回転部材６６との間に位置する。
【００２５】
板バネ６３は、メインシャーシ３０の他端部３０ｂ上に載置されるベース７２と、ベース７２の一端から折り返されたバネ片７３と、ベース７２の他端から曲折されて回転部材６６に向かって延びる延設部７４と、を有している。ベース７２は、軸体６２が挿通される孔７５と、メインシャーシ３０の他端部３０ｂから突出する位置決め用の突起７７が挿通される孔７６とを有し、両孔７５，７６に軸体６２及び突起７７を挿入することによって、板バネ６３が所定位置に保持される。図７に示すように、バネ片７３の先端は、サブシャーシ３１の底壁６１に向かって突出するように曲折され、この底壁６１を回転部材６６に向かって付勢している。図９に示すように、延設部７４の先端は、回転部材６６に向かって折り返され、この折り返された部分に回転部材６６の係合溝６８と係合する第２係合部としての係合突起７９が曲折形成されている。係合突起７９は、延設部７４の弾性力によって係合溝７１に向かって付勢され、この付勢力によって係合突起７９と係合溝７１との係合が保持される。なお、回転部材６６に複数の係合突起を形成し、板バネ６３に係合溝を形成しても良い。
【００２６】
サブシャーシ３１の底壁６１には、回転部材６６の傾斜面７０に向かって突出する突起８０が一体的に形成されている。底壁６１が板バネ６３からの付勢力を受けた状態において、突起８０は傾斜面７０に押圧接触し、係る状態で回転部材６６を回転させると、傾斜面７０が突起８０とスライド接触し、回転部材６６に対する底面６１の位置が変化する。
【００２７】
［光ディスク装置の調整方法］
光ディスク１２に対するレーザ光の垂直性を高めるため、光ディスク回転機構３２と光学ピックアップ３３との相対位置を調整する作業は、係合突起７９に付与される板バネ６３の延設部７４からの付勢力に抗して回転部材６６を回転することにより行う。回転部材６６を回転することにより、突起８０が傾斜面７０上をスライド移動し、回転部材６６とサブシャーシ３１の底壁６１との相対位置が変動する。回転部材６６の回転軸はメインシャーシ３０に対して一定位置に維持されているため、回転部材６６とサブシャーシ３１との相対位置が変動すると、メインシャーシ３０に対するサブシャーシ３１の傾きが変更され、結果として光ディスク回転機構３２と光学ピックアップ３３との相対位置が調整される。調整後の状態は、回転部材６６に向かって付勢された係合突起７１とギヤ６８の係合溝７１との係合力によって保持される。
【００２８】
このように、調整後の光ディスク回転機構３２と光学ピックアップ３３との相対位置が接着剤を用いることなく簡単に保持されるため、調整作業性が良好であり、且つ再調整も容易に行うことができる。
【００２９】
係合突起７９を板バネ６３と一体的に形成したので、部品点数の軽減及び構造の簡素化を図ることができる。また、板バネ６３の弾性力によって係合突起７９が係合溝７１に向かって付勢されるので、両者が強く係合され、調整後の状態が強固に保持され得る。
【００３０】
傾斜面７０を、ギヤ６８に最も近接する一端６８ａとギヤ６８から最も離れた他端６８ｂとが隣接するように、ほぼ３６０°の範囲に形成すると共に、係合溝７１を、カム６９の外周面に環状に連続して形成したので、調整範囲が広範囲であり、且つ微調整にも対応可能である。
【００３１】
［第２の実施形態］
図１０に示すように、第２の実施形態は、回転部材６６のギヤ６８から突起８１を突出させ、サブシャーシ３１の底壁６１上に傾斜面８２を有するカム８３を形成したものである。なお、その他の基本構成は第１の実施形態と同様である。
【００３２】
この実施形態も、第１の実施形態と同様の作用効果を奏する。
【００３３】
［第３の実施形態］
図１１及び図１２に示すように、第３の実施形態は、第１の実施形態の板バネに代えて弾性部材としてのコイルバネ８４をサブシャーシ３１の底壁６１とメインシャーシ３０との間に配置し、板バネと一体的に形成された係合突起に代えて第２係合部としての係合突起８９をサブシャーシ３１と一体的に形成したものである。なお、その他の基本構成は、第１の実施形態と同様である。
【００３４】
回転部材６６の係合溝７１の近傍には、両端がサブシャーシ３１の他端部３１ｂの対向壁８６，８７にそれぞれ一体的に接続された略Ｕ字状の連結部８８が配置され、連結部８８の略中央から係合溝７１と係合する係合突起８９が一体的に延びている。係合突起８９は、係合溝７１と係合した状態において僅かに撓むような位置に配置されており、係る状態で係合突起８９は係合溝７１に向かって付勢されている。
【００３５】
この実施形態は、第１の実施形態と同様に、調整作業に接着を必要としないため、その作業性が良好であり、且つ再調整も容易に行うことができる。
【００３６】
部品点数の軽減及び構造の簡素化を図ると共に、調整範囲が広範囲であり、且つ微調整にも対応可能である。
【００３７】
さらに、係合突起８９を弾性部材から独立して設けたので、弾性部材が材質及び形状等の制限を受けない。このため、種々の弾性部材を用いることができる。
【００３８】
本発明は、一例として説明した上述の実施形態に限定されることはない。すなわち、上述の実施形態以外であっても、本発明に係る技術的思想を逸脱しない範囲であれば、設計等に応じて種々の変更が可能であることは勿論である。
【００３９】
【発明の効果】
以上説明したように、本発明によれば、光ディスク装置の調整後の状態が接着剤を用いることなく保持されるので、調整作業性が良好であり、且つ再調整も容易に行うことができる。
【図面の簡単な説明】
【図１】本発明の第１の実施形態に係るエンタテインメント装置の外観斜視図である。
【図２】光ディスク装置の平面図である。
【図３】メインシャーシの平面図である。
【図４】サブシャーシの平面図である。
【図５】光ディスク装置の分解斜視図である。
【図６】光ディスク装置の正面図である。
【図７】光ディスク装置の側断面図である。
【図８】回転部材の斜視図である。
【図９】係合溝と係合突起との係合状態を示す要部拡大断面図である。
【図１０】本発明の第２の実施形態に係る光ディスク装置の要部断面図である。
【図１１】本発明の第３の実施形態に係る光ディスク装置の要部断面図である。
【図１２】図１１のサブシャーシの要部斜視図である。
【符号の説明】
３…光ディスク装置、３０…メインシャーシ、３１…サブシャーシ、３２…光ディスク回転機構、３３…光学ピックアップ、６１…底壁（サブシャーシの作用部）、６２…軸体、６３…板バネ（弾性部材）、６６…回転部材、６７…底壁の孔、６８…ギア、６９…カム、７０…傾斜面、７１…係合溝（第１係合部）、７９…係合突起（第２係合部）、８０…突起、８１…突起、８２…傾斜面、８３…カム、８４…コイルバネ（弾性部材）、８９…係合突起（第２係合部）
【図１】
0003605353.tif 000002
【図２】
0003605353.tif 000003
【図３】
0003605353.tif 000004
【図４】
0003605353.tif 000005
【図５】
0003605353.tif 000006
【図６】
0003605353.tif 000007
【図７】
0003605353.tif 000008
【図８】
0003605353.tif 000009
【図９】
0003605353.tif 000010
【図１０】
0003605353.tif 000011
【図１１】
0003605353.tif 000012
【図１２】
0003605353.tif 000013